(57)【特許請求の範囲】
【請求項１】
複数並べた板状のルーバー羽根を回動させて直接光を採光するか又は直接光を遮光して間接光のみを採光するルーバー装置の隙間規制構造であって、直接光の遮光時に間接光が通過する隙間をルーバー羽根間に形成するために板状のルーバー羽根の回動部の両側端部にルーバー羽根の回動を規制するストッパーを突設して成ることを特徴とするルーバー装置の隙間規制構造。
【請求項２】
ストッパーをそれぞれ互いに隣接するルーバー羽根の回動部の両側端部に設けるストッパーと当接するように形成して成ることを特徴とする請求項１記載のルーバー装置の隙間規制構造。
【請求項３】
ルーバー羽根の回動部の両側端面とこのルーバー羽根の回動部の回動を受ける固定部側の側端面との間に摺動部材を介在させて成ることを特徴とする請求項１又は請求項２記載のルーバー装置の隙間規制構造。
【請求項４】
摺動部材の両側面にそれぞれルーバー羽根の回動部の側端面と固定部側の側端面とに先端部が当接する突起部を形成して成ることを特徴とする請求項３記載のルーバー装置の隙間規制構造。
【発明の詳細な説明】
【０００１】
【発明の属する技術分野】
本発明は、窓に設けて直接光を採光したり直接光を遮光して間接光を採光するルーバー装置に関するものである。
【０００２】
【従来の技術】
従来より、建物の窓の開口にルーバー装置を設け、窓から室内に射し込む光の量を調節したりするものである。これは、窓から室内に射し込もうとする光を全て遮ったり、あるいは室内を明るくしたい場合に直射日光のような直接光を採り入れたり、あるいはある程度の明るさを必要とする場合に窓から室内に直接光が射し込むのを遮りつつも反射光のような間接光のみを採り入れたりするものである。
【０００３】
ルーバー装置は、図２に示すように、左右に長い板状のルーバー羽根１を上下方向に複数設け、各ルーバー羽根１を夫々長手方向廻りに回動自在としてある。このルーバー装置で窓から室内に射し込もうとする光の量を調節することについて説明する。
【０００４】
まず、窓から室内に射し込もうとする光を全て遮る場合には、図７に示すように、各ルーバー羽根１を回動させて隣接するルーバー羽根１の端部同士を当接させ、隣接するルーバー羽根１間に隙間Ｓが形成されないようにすることで、この隙間Ｓから直接光のみならず間接光が室内に射し込むのを遮るものである。また、室内に直接光を採り入れる場合には、各ルーバー羽根１を回動させて隣接するルーバー羽根１間に直接光が直進可能な位の隙間Ｓを形成し、この隙間Ｓを介して直接光を室内に採り入れるものである。また、室内に間接光のみを採り入れる場合には、図８に示すように、各ルーバー羽根１を回動させて隣接するルーバー羽根１間に直接光が直進しない程度の隙間Ｓを形成し、この隙間Ｓを介して直接光を遮りつつ間接光のみを室内に採り入れるものである。
【０００５】
ところで、このようなルーバー装置においては、窓から室内に射し込む光を全て遮ろうとする場合、上述したように各ルーバー羽根１を回動させて隣接するルーバー羽根１の端部同士を当接させ、隣接するルーバー羽根１間に隙間Ｓが形成されないようにするものである。しかしながら、一般的に、ルーバー羽根１は製造時の寸法誤差によってそれぞれ寸法形状が若干ずつ異なるものであるため、隣接するルーバー羽根１の端部同士を当接させてルーバー羽根１間の隙間Ｓを閉塞しようとしても、前述した寸法誤差のためにルーバー羽根１間に隙間Ｓが形成されてしまう。そしてこの隙間Ｓは、ルーバー羽根１間において部分的にランダムに形成されてしまうものであり、この隙間Ｓを介して室内に間接光がランダムに射し込んで見苦しいものであった。この問題を解決するために、ルーバー羽根１の寸法形状の精度を上げることが考えられるが、この場合、ルーバー羽根１の製造コストが上昇してしまうものであった。
【０００６】
そこで、ルーバー羽根１間に部分的にランダムに隙間Ｓが形成されて見苦しくなるのを防止するため、窓から室内に射し込む光を全て遮ろうとして隣接するルーバー羽根１の端部同士を当接させるのを止めて、光をできるだけ遮りたい場合でも隣接するルーバー羽根１間に若干の隙間を形成してこの隙間Ｓを間接光が通過できるようにすることが考えられる。しかしこの場合には、ルーバー羽根１を回動させて前記若干の隙間Ｓを形成しようとする度に人手による調整を要するものであり、さらに、人手によって調整するのでは形成される前記若干の隙間Ｓ量が毎回異なって違和感を感じたりしてしまうものであった。
【０００７】
【発明が解決しようとする課題】
本発明は上記の点に鑑みてなされたものであり、その目的とするところは、複数のルーバー羽根を閉じて直接光が射し込まないようにする際、複数のルーバー羽根間の隙間を全て閉じようとして部分的な隙間が形成されてしまい、光が室内にランダムで部分的に差し込んでしまって見苦しくなるのを防止するルーバー装置の隙間規制構造を提供することを課題とするものである。
【０００８】
【課題を解決するための手段】
上記課題を解決するために本発明に係るルーバー装置の隙間規制構造は、複数並べた板状のルーバー羽根１を回動させて直接光を採光するか又は直接光を遮光して間接光のみを採光するルーバー装置の隙間規制構造であって、直接光の遮光時に間接光が通過する隙間Ｓをルーバー羽根１間に形成するために板状のルーバー羽根１の回動部１０の両側端部にルーバー羽根１の回動を規制するストッパー２１を突設して成ることを特徴とするものである。このような構成とすることで、光をできるだけ遮りたい場合、隣接するルーバー羽根１間に直接光は直進できずに間接光のみが通過できる若干の隙間Ｓ０を容易に安定して形成することが可能となり、複数のルーバー羽根１間の隙間Ｓを全て閉じようとしてランダムで部分的な隙間Ｓが形成されて光がランダムに差し込んでしまって見苦しくなるのを防止することができる。
【０００９】
また、ストッパー２１をそれぞれ互いに隣接するルーバー羽根１の回動部１０の両側端部に設けるストッパー２１と当接するように形成することが好ましい。このような構成とすることで、簡単な構成であるストッパー２１にて容易に安定して若干の隙間Ｓ０を形成することができる。
【００１０】
また、ルーバー羽根１の回動部１０の両側端面とこのルーバー羽根１の回動部１０の回動を受ける固定部３側の側端面との間に摺動部材９を介在させることが好ましい。このような構成とすることで、摺動部材９を設けない場合に、固定部３と回動部１０とが摺動してルーバー羽根１を回動させる際の摩擦力が増大したり、あるいは固定部３と回動部１０との間に隙間が開きすぎてルーバー羽根１を回動させる際の動作にがたつきが生じたりするのを防止することができる。
【００１１】
また、摺動部材９の両側面にそれぞれルーバー羽根１の回動部１０の側端面と固定部３側の側端面とに先端部が当接する突起部９１を形成することが好ましい。このような構成とすることで、摺動部材９と固定部３との間の摩擦力を更に低減させることができる。
【００１２】
【発明の実施の形態】
以下、本発明を添付図面に示す実施形態に基づいて説明する。
【００１３】
本実施形態におけるルーバー装置は、図２に示すように、複数のルーバー羽根１を上下方向に複数並べてそれぞれ長手方向を軸に回動自在として窓に配置し、ルーバー羽根１の回動角を変化させることで窓からの遮光状態や採光状態を切り替えたり、採光量を調節したりするものである。
【００１４】
ルーバー羽根１は、左右の長手方向に過剰な撓みが生じない程度の剛性を有して且つ光を透過させない材料、例えば合成樹脂のような材料により構成されるもので、正面視略長方形状の板状をした遮光部１１と、遮光部１１の長手方向の両側端部に形成される筒状部１２で構成される。このルーバー羽根１は、ルーバー装置に設けられる駆動部６に接続されるもので、これについて以下に説明する。
【００１５】
ルーバー装置は、中央の開口部にルーバー羽根１が配置されるケーシングフレーム（図示せず）にて主体が構成され、このケーシングフレームにルーバー羽根１を回動駆動させる駆動部６が設けられる。
【００１６】
駆動ユニットは、ルーバーベース３０とアーム４及び補助アーム５、モータ等の駆動部６で大略構成される。ルーバーベース３０は、上述したケーシングフレームの開口の両側にそれぞれ固定される板状をしており、長手方向の複数箇所にルーバー羽根１の回動部１０の回動を受ける受け部３１を穿孔して形成し、ルーバー羽根１の回動部１０に対する固定部３とするものである。
【００１７】
また、ケーシングフレームには、モータ等の駆動部６が固定される。そして、このモータ等の駆動部６からは出力軸６１が突出されると共に、その先端部にはクランク部材７が設けられる。クランク部材７は、前記固定部３（即ちルーバーベース３０）の受け部３１で受けられ、クランク部材７の出力側軸７１は、後述するが、アーム４に接続される。
【００１８】
ルーバー羽根１の両側端部にはエンドキャップ２が取り付けられ、このルーバー羽根１とエンドキャップ２とで回動部１０が形成される。エンドキャップ２は、ルーバー羽根１の両側端部の筒状部１２に取り付けられるものであるが、本実施形態ではエンドキャップ２と筒状部１２とを一体に形成してルーバー羽根１の両側端部に設けてある。また、エンドキャップ２は、クランク部材７と一体に形成してあってもよく、この場合には、前記出力側軸７１をアーム４より突設すると共に、クランク部材７の側端面に形成した孔に出力側軸７１の端部が挿入される。
【００１９】
このようなルーバー羽根１は、両側端部の筒状部１２がそれぞれ上述した固定部３としてのルーバーベース３０の受け部３１で受けられて回動自在に複数配設される。この複数のルーバー羽根１は、長手方向から見て、遮光部１１の傾き角度が全て揃うように配置すると共に、ルーバー羽根１の両側端部に接続されるクランク部材７の出力側軸７１がルーバー羽根１の中心から全て同方向に位置するように（即ち同位相となるように）配置するものである。そして、このように配置された複数のルーバー羽根１に接続される出力側軸７１はアーム４に接続されるものである。
【００２０】
アーム４は、ルーバーベース３０と略同形状をした板状のもので、長手方向に出力側軸７１が複数接続される。出力側軸７１は、アーム４とクランク部材７との間に介在するものであり、出力側軸７１がアーム４に固定されている場合には、クランク部材７にて出力側軸７１の端部が回動自在に受けられ、出力側軸７１がクランク部材７に固定されている場合には、アーム４にて出力側軸７１の端部が回動自在に受けられる。このように出力側軸７１が接続されたアーム４によって、複数のルーバー羽根１はそれぞれ回動角度が同一のまま（即ち同位相のまま）回動自在となるものである。
【００２１】
さらに、本実施形態においては、アーム４の外側に補助アーム５が設けてある。補助アーム５は、アーム４と略同形状をした板状のもので、長手方向の両端部近傍の内側に面する側端面にクランク状をした連結部材８の一軸８１が取り付けてあり、この連結部材８の他軸８２はアーム４の長手方向の両端部近傍の外側に面する側端面に取り付けてあり、補助アーム５とアーム４とはそれぞれの長手方向が常に平行となったまま連結部材８にて回動自在に形成してある。このような構成によればルーバー羽根１の開閉ストロークを略１８０°に設定する場合ストロークの終端においてアーム４が反転する際にいわゆる死点が生じて回転駆動力の伝達にむらが生じるのであるが、アーム４と平行に並置して該アーム４とは略９０°位相を異ならせて連動回動する補助アーム５を設けることで、補助アーム５によってアーム４の死点による回転駆動力の伝達むらをなくすことができ、ルーバー羽根１の開閉むらが生じるのを防止することができるものである。
【００２２】
このようなルーバー装置による窓の遮光，採光について説明すると、室内に直射日光のような直接光を採り入れる場合には、各ルーバー羽根１を回動させて隣接するルーバー羽根１間に直接光が直進可能な位の隙間Ｓを形成し、この隙間Ｓを介して直接光を室内に採り入れるものであり、室内に間接光のみを採り入れる場合には、各ルーバー羽根１を回動させて隣接するルーバー羽根１間に直接光が直進しない程度の隙間Ｓを形成し、この隙間Ｓを介して直接光を遮りつつ間接光のみを室内に採り入れるものである。
【００２３】
そして、光をできるだけ遮りたい場合もあるのであるが、この場合に、複数のルーバー羽根１間の隙間Ｓを全て閉じようとして部分的な隙間Ｓが形成されて光が室内にランダムで部分的に差し込んで見苦しくなってしまわないように、間接光にルーバー羽根１間の隙間Ｓを通過させて光のランダムな射し込みを防止する若干の隙間Ｓ０を容易に安定して形成するため、エンドキャップ２にストッパー２１を設けるものである。
【００２４】
ストッパー２１は、図１に示すように、エンドキャップ２の筒状側面の周方向の一部に形成してある。さらに詳述すると、各ルーバー羽根１を回動させて隣接するルーバー羽根１間に前記若干の隙間Ｓ０が形成される状態において、隣接するルーバー羽根１のエンドキャップ２のストッパー２１同士が当接するように周方向の対向する２箇所に突設してある。
【００２５】
以上のような構成とすることで、光をできるだけ遮りたい場合、隣接するルーバー羽根１間に直接光は直進できずに間接光のみが通過できる若干の隙間Ｓ０を容易に安定して形成することが可能となり、複数のルーバー羽根１間の隙間Ｓを全て閉じようとしてランダムで部分的な隙間Ｓが形成されて光がランダムに差し込んでしまって見苦しくなるのを防止することができるもので、人手によって調整することなくストッパー２１にて容易に安定して若干の隙間Ｓ０を形成でき、人手によって調整することで若干の隙間Ｓ０量が毎回異なって形成されて違和感を感じたりしてしまうこともないものである。
【００２６】
また、ルーバー羽根１の回動部１０の両側端面とこのルーバー羽根１の回動部１０の回動を受ける固定部３側の側端面との間に摺動部材９を介在させもよい。これは、固定部３としてのルーバーベース３０と回動部１０としてのエンドキャップ２の間に介在するようにルーバー羽根１の回動部１０の側端部に嵌め込むもので、図３に示すように摺動部材９は略Ｃ字状をしたものである。このようにすることで、摺動部材９を設けない場合に、図６（ａ）に示すように固定部３としてのルーバーベース３０と回動部１０としてのエンドキャップ２とが摺動してルーバー羽根１を回動させる際の摩擦力が増大したり、あるいは図６（ｂ）に示すように固定部３としてのルーバーベース３０と回動部１０としてのエンドキャップ２との間に隙間Ｓが開きすぎてルーバー羽根１を回動させる際の動作にがたつきが生じたりするのを防止することができる。
【００２７】
また更にこの時、図４に示すものや図５に示すもののように、摺動部材９の両側面にそれぞれルーバー羽根１の回動部１０の側端面と固定部３側の側端面とに先端部が当接する突起部９１を形成してもよい。このようにすることで、摺動部材９とルーバーベース３０やエンドキャップ２との間の摩擦力を更に低減させることができる。
【００２８】
【発明の効果】
上記のように本発明の請求項１記載の発明にあっては、複数並べた板状のルーバー羽根を回動させて直接光を採光するか又は直接光を遮光して間接光のみを採光するルーバー装置の隙間規制構造であって、直接光の遮光時に間接光が通過する隙間をルーバー羽根間に形成するために板状のルーバー羽根の回動部の両側端部にルーバー羽根の回動を規制するストッパーを突設したので、光をできるだけ遮りたい場合、隣接するルーバー羽根間に直接光は直進できずに間接光のみが通過できる若干の隙間を容易に安定して形成することが可能となり、複数のルーバー羽根間の隙間を全て閉じようとしてランダムで部分的な隙間が形成されて光がランダムに差し込んでしまって見苦しくなるのを防止することができるもので、人手によって調整することなくストッパーにて安定して若干の隙間を形成でき、人手によって調整することで若干の隙間量が毎回異なって形成されて違和感を感じたりしてしまうこともないものである。
【００２９】
また請求項２記載の発明にあっては、上記請求項１記載の発明の効果に加えて、ストッパーをそれぞれ互いに隣接するルーバー羽根の回動部の両側端部に設けるストッパーと当接するように形成したので、簡単な構成であるストッパーにて容易に安定して若干の隙間を形成することができるものである。
【００３０】
また請求項３記載の発明にあっては、上記請求項１又は２記載の発明の効果に加えて、ルーバー羽根の回動部の両側端面とこのルーバー羽根の回動部の回動を受ける固定部側の側端面との間に摺動部材を介在させたので、摺動部材を設けない場合に、固定部と回動部とが摺動してルーバー羽根を回動させる際の摩擦力が増大したり、あるいは固定部と回動部との間に隙間が開きすぎてルーバー羽根を回動させる際の動作にがたつきが生じたりするのを防止することができるものである。
【００３１】
また請求項４記載の発明にあっては、上記請求項３記載の発明の効果に加えて、摺動部材の両側面にそれぞれルーバー羽根の回動部の側端面と固定部側の側端面とに先端部が当接する突起部を形成したので、摺動部材と固定部との間の摩擦力を更に低減させることができるものである。
【図面の簡単な説明】
【図１】本発明の一実施形態の要部の斜視図である。
【図２】同上の実施形態のルーバー装置の要部の斜視図である。
【図３】同上の実施形態のルーバー装置のルーバー羽根の回動部の端部及び該端部に設ける摺動部材についての説明図であり、（ａ）は正面図であり、（ｂ）は側断面図である。
【図４】同上の実施形態のルーバー装置のルーバー羽根の回動部の端部及び該端部に設ける突起部を形成した摺動部材についての説明図であり、（ａ）は摺動部材の正面図であり、（ｂ）は側断面図であり、（ｃ）は回動部の端部及び摺動部材の要部拡大側断面図である。
【図５】他の突起部を形成した摺動部材を設けた回動部の端部近傍の側面図である。
【図６】（ａ）（ｂ）はそれぞれルーバー羽根の回動部の端部に摺動部材を設けない場合の一例，他例についての説明図である。
【図７】従来のルーバー装置のルーバー羽根においてルーバー羽根間に隙間を形成しない場合の斜視図である。
【図８】従来のルーバー装置のルーバー羽根においてルーバー羽根間に隙間を形成する場合の斜視図である。
【符号の説明】
１  ルーバー羽根
１０  回動部
２１  ストッパー
Ｓ  隙間
【図１】
0003606258.tif 000002
【図２】
0003606258.tif 000003
【図３】
0003606258.tif 000004
【図４】
0003606258.tif 000005
【図５】
0003606258.tif 000006
【図６】
0003606258.tif 000007
【図７】
0003606258.tif 000008
【図８】
0003606258.tif 000009